(57)【要約】【課題】一つの装置でステレオ再生を実現することができる照明付きスピーカ装置を提供することを目的とする。【解決手段】照明とスピーカとが一体的に構成された照明付きスピーカ装置であって、直管形蛍光管３と、スピーカ５ａ、５ｂを有し、直管形蛍光管３の軸方向両側にそれぞれ配置されるスピーカキャビネット４ａ、４ｂと、スピーカキャビネット４ａ、４ｂに設けられ、直管形蛍光管３の軸方向に沿って並設される中空管状の音響管７ａ、７ｂとを備えている。【選択図】図１
2008244641.tif 000002
【特許請求の範囲】
【請求項１】
直管形蛍光管を含む照明手段と、
前記直管形蛍光管の軸方向両側にそれぞれ配置されるスピーカと、
各スピーカを支持するスピーカキャビネットと、
前記直管形蛍光管の軸方向に並行に並設され、且つ、少なくとも何れか一方の前記スピーカキャビネットに一端が支持される中空管状の音響管と、
を備えることを特徴とする照明付きスピーカ装置。
【請求項２】
所定の信号形態で伝送されてくる再生信号を受信する受信手段と、
前記受信手段により受信された再生信号の信号レベルを増幅する増幅手段と、を備え、
前記増幅手段により増幅した再生信号を前記スピーカにより再生することを特徴とする請求項１に記載の照明付きスピーカ装置。
【請求項３】
前記スピーカは、放射面が前記直管形蛍光管の軸方向に直交し且つ前記スピーカキャビネットの外側面に沿って配置されていることを特徴とする請求項１又は２に記載の照明付きスピーカ装置。
【請求項４】
前記スピーカの放射面の前方に、前記スピーカから放射される放射音を拡散する拡散部材を備えたことを特徴とする請求項１乃至３の何れか１項に記載の照明付きスピーカ装置。
【発明の詳細な説明】
【技術分野】
【０００１】
本発明は、照明器具とスピーカとが一体的に構成されている照明付きスピーカ装置に関わり、特に照明器具として直管形蛍光管を備えた照明付きスピーカ装置に好適なものである。
【背景技術】
【０００２】
従来より照明器具とスピーカとが一体的に構成されている照明付きスピーカ装置が提案されている。
例えば、特許文献１には、スピーカを有し、天井の照明器具の取り付け接続部に接続されると共に下部に照明器具が取り付けられた再生ユニットを備え、再生ユニットが、取り付け接続部を介して供給される電源に重畳された音声信号を取り出して、スピーカを駆動するためのデコーダを有するオーディオ装置が開示されている。
また、特許文献２には、球殻状のリフレクターホーンと、リフレクターホーンの弯曲側に載置され、リフレクターホーンに向かって音を放射するように開口部をもったスピーカと底部に照明用の電球ランプを収納した小型ボックスとを備え、照明用の電球ランプから発光される光線がリフレクターホーンにより反射され、リフレクターホーンの下部にのみ集光される指向性スピーカ装置が開示されている。
【特許文献１】特開２００５−１２７６５公報
【特許文献２】特許第３２１１３２１号
【発明の開示】
【発明が解決しようとする課題】
【０００３】
しかしながら、上記したような従来の照明付きスピーカ装置は、その設置場所や、照明器具の形状等によりスピーカの取り付け位置や取り付け方向が制限される。
例えば、特許文献２では、天井の照明器具の取り付け接続部に接続された装置から壁面方向に向かって音を放射するようにスピーカが配置されている。また、特許文献３では球殻状のリフレクターホーンに向かって音を放射するようにスピーカが配置されている。
このため、従来の照明付きスピーカ装置を用いてオーディオシステムを構築しようとすると、一つの照明付きスピーカ装置によりステレオ再生を実現するのは困難で、実際には二つの照明付きスピーカ装置を配置する必要があった。
本発明は上記した問題点を鑑みたものであり、一つの装置でステレオ再生を実現することができる照明付きスピーカ装置を提供することを目的とする。
【課題を解決するための手段】
【０００４】
上記目的を達成するため、本発明の照明付きスピーカ装置は、直管形蛍光管を含む照明手段と、前記直管形蛍光管の軸方向両側にそれぞれ配置されるスピーカと、各スピーカを支持するスピーカキャビネットと、前記直管形蛍光管の軸方向に並行に並設され、且つ、少なくとも何れか一方の前記スピーカキャビネットに一端が支持される中空管状の音響管と、を備えるようにした。
また本発明の照明付きスピーカ装置は、所定の信号形態で伝送されてくる再生信号を受信する受信手段と、前記受信手段により受信された再生信号の信号レベルを増幅する増幅手段と、を備え、前記増幅手段により増幅した再生信号を前記スピーカにより再生するようにした。
また本発明の照明付きスピーカ装置は、前記スピーカは、放射面が前記直管形蛍光管の軸方向に直交し且つ前記スピーカキャビネットの外側面に沿って配置するようにした。
また本発明の照明付きスピーカ装置は、前記スピーカの放射面の前方に、前記スピーカから放射される放射音を拡散する拡散部材を備えるようにした。
【発明の効果】
【０００５】
本発明によれば、直管形蛍光管の軸方向両端にそれぞれスピーカを備えたスピーカキャビネットを配置することで、直管形蛍光管の長さ分だけスピーカを離間できるため、一つの照明付きスピーカ装置によってステレオ再生を実現することができる。
また本発明では、直管形蛍光管の軸方向に沿って十分長い音響管を並設しているので、十分に低い共鳴周波数を得ることができ、これまでにない低音再生が可能になる。
【発明を実施するための最良の形態】
【０００６】
以下、本発明の照明付きスピーカ装置の実施の形態について説明する。
図１は、本発明の実施の形態に係る照明付きスピーカ装置の構成を示した図であり、（ａ）は平面図、（ｂ）は正面図である。なお、本実施の形態の照明機能は、照明器具の光源により直接照明するではなく、光源からの光を天井や壁などに反射させて間接光により照明する間接照明とする。
この図１（ａ）（ｂ）に示す照明付きスピーカ装置（以下、単に「スピーカ装置」という）１は、照明とスピーカとが一体的に構成されている。このようなスピーカ装置１は、例えば、室内の壁面２０に、その長手方向が横向き（水平）に設置される。スピーカ装置１の前面には、例えば細長い矩形状の木製パネル２が取り付けられている。なお、スピーカ装置１の長手方向の長さは約１２０ｃｍとする。
木製パネル２の内側には、照明器具（照明手段）として約１００ｃｍ程度の直管形蛍光管３が設けられている。また、直管形蛍光管３の軸方向両側には、それぞれスピーカキャビネット４ａ、４ｂが配置されている。スピーカキャビネット４ａ、４ｂには、それぞれスピーカ５ａ、５ｂが取り付けられている。
スピーカ５ａ、５ｂは、その放射面が直管形蛍光管３の軸方向と直交し、且つ、スピーカキャビネット４ａ、４ｂの外側面にそれぞれ配置されている。スピーカキャビネット４ａ、４ｂの外側面にスピーカ５ａ、５ｂが配置されているのは、本実施の形態のように照明機能が間接照明の場合、デザイン上、正面に居るユーザにスピーカ５ａ、５ｂの放射面を見せたくないため、璧面２０に沿って横向きにスピーカ５ａ、５ｂを取り付けるようにしている。勿論、スピーカ５ａ、５ｂは放射面が正面を向くように配置しても良いことは言うまでもない。
【０００７】
また各スピーカ５ａ、５ｂの放射面の前方には、各スピーカ５ａ、５ｂから放射される放射音の最適化を図るために、各スピーカ５ａ、５ｂから放射される放射音を拡散するディフューザ（拡散部材）６ａ、６ｂが設けられている。ディフューザ６ｂは、中心より後方側（壁面２０側）に放射される音は出来るだけそのまま邪魔せずに、中心より前方側（壁面２０と反対側）に放射される放射音は壁面２０に対して前方放射されるような形状とされる。なお、ディフューザ６ａ、６ｂについては後述する。
さらに本実施の形態のスピーカ装置１においては、低音の補強のために、各スピーカキャビネット４ａ、４ｂには直管形蛍光管３の軸方向に並行に中空管状の音響管７ａ、７ｂがそれぞれ並設され、且つ、その一端が支持されている。この場合、各音響管７ａ、７ｂの長さは、例えば約９０ｃｍとする。なお、本実施の形態では、各スピーカキャビネット４ａ、４ｂに音響管７ａ、７ｂを取り付けるようにしているが、一方のスピーカキャビネット４ａ、４ｂだけに設けるようにしても良い。
また、本実施の形態のスピーカ装置１においては、直管形蛍光管３を点灯させるためのインバータ回路（照明手段）８、再生信号を受信するための受信装置（受信手段）９、スピーカ５ａ、５ｂを駆動するためのアンプ（増幅手段）１０が設けられている。
【０００８】
このように構成されるスピーカ装置１においては、直管形蛍光管３の軸方向両側にそれぞれスピーカ５ａ、５ｂを備えたスピーカキャビネット４ａ、４ｂを配置することで、直管形蛍光管３の軸方向の長さ分だけスピーカ５ａ、５ｂを離間することができるため、一つのスピーカ装置１によってステレオ再生を実現することができる。
【０００９】
図２は、スピーカから放射される放射音を模式的に示した図である。なお、本実施の形態はスピーカ５ｂから放射される放射音を例に挙げて説明する。
この図２に示すように、スピーカ５ｂから放射された放射音のうち、スピーカ５ｂの中心より後方側（壁面２０側）に放射された放射音Ｓ１は、ディフューザ６ｂにて反射されることなく放射され、その殆どが壁面２０や図示しない周りの壁に反射されて前方に回り込むことになる。一方、スピーカ５ｂの中心より前方側（壁面２０とは反対側）に放射された放射音Ｓ２は、ディフューザ６ｂに反射されて直接前方に放射されることになる。つまり、本実施の形態では、壁面２０の反射を有効に活用しつつ、スピーカ５ｂから放射される音放射の最適化を図るために、スピーカ５ｂの前方にディフューザ６ｂを設けるようにしている。従って、ディフューザ６ｂによりスピーカ５ｂから放射される直接音と間接音のバランスを採ることが可能になり、良好な音場を実現することができる。なお、スピーカ５ａ、５ｂの放射面を正面方向（聴取者方向）に向けて配置した場合は、スピーカ５ａ、５ｂからの音放射は問題ないため、特にディフューザ６ａ、６ｂは設ける必要はない。
【００１０】
また、本実施の形態のスピーカ装置１においては、スピーカキャビネット４ａ、４ｂに音響管７ａ、７ｂを接続したことにより、スピーカ５から背面側に放射された放射音Ｓ１は、スピーカキャビネット４ａ、４ｂに接続された音響管７ａ、７ｂで共鳴し、低音の増強が行われることになる。増強される周波数は音響管７ａ、７ｂの長さによって決まってくるが、概略音響管７ａ、７ｂの長さの４倍の波長を持つ周波数の音を中心に増強される。
例えば、音響管長７ａ、７ｂの長さを９０ｃｍにした場合、約９５Ｈｚを中心に増強されることになる。なお、２本ある音響管７ａ、７ｂの長さを変えてそれぞれの共鳴周波数が異なるようにしても良い。
このようにスピーカ装置１においては、スピーカキャビネット４ａ、４ｂに直管形蛍光管３の軸方向に沿って十分長い音響管７ａ、７ｂを並設したことで、十分に低い共鳴周波数を得ることができ、これまでにない低音再生が可能になる。
また、この場合は、音響管７ａ、７ｂの先端開口部付近では、空気の移動が生じるため、その近傍にアンプ１０やインバータ回路８を配置しておけば、これらを冷却できるという利点もある。
【００１１】
図３は、本実施の形態の照明付きスピーカ装置の電気的な構成を示したブロック図である。
受信装置９は、例えば音源装置であるデジタルメディアサーバ（ＤＭＳ：Digital Media Server）からＤＬＮＡ（Digital Living Network Alliance）の規格に則って伝送されてくる音声信号を受信可能に構成されている。ＤＬＮＡとは、家庭内ネットワークで音楽／静止画／動画などのデジタルコンテンツを容易にやり取りするための仕様を指す。また、受信装置９は図示しないリモートコマンダからＥＣＨＯＮＥＴ（Energy Conservation and Homecare Network）の規格に則って伝送されてくるコマンド信号等も受信可能に構成されている。なお、デジタルメディアサーバとしては、例えばパーソナルコンピュータやセットトップボックス、デジタルカメラやビデオカメラ、多機能な携帯電話機などが挙げられる。
また受信装置９は受信したコマンド信号に基づいてアンプ１０のレベル制御やインバータ回路８の制御を行う。インバータ回路８は、受信装置９の制御に基づいて照明器具である直管形蛍光灯３の点灯制御を行う。
アンプ１０は、受信装置９からの制御信号に基づいて入力される音声信号の信号レベルを増幅して夫々のスピーカキャビネット４ａ、４ｂのスピーカ５ａ、５ｂに出力する。
【００１２】
なお、本実施の形態では、受信装置９においてリモコン信号を受信するようにしているが、図示しないリモートコマンダからのコマンド信号を受信するリモコン受信部は別に設けるようにしても良い。また、リモートコマンダとの間の伝送に赤外線を用いることも可能である。このように構成すれば、スピーカ装置１を壁面等に取り付ける場合でも、信号伝送のための配線の引き回しが不要なためシステムを容易に構築することが可能である。また、本実施の形態では、音声信号がＤＭＳからＤＬＮＡの規格に則って伝送されてくる場合を例に挙げて説明したが、あくまでも一例である。例えば、音声信号は、ＤＬＮＡ規格以外の伝送規則に則って伝送される場合や、電力線などの有線により伝送されてくる場合も適用可能であることは言うまでもない。
【図面の簡単な説明】
【００１３】
【図１】本発明の実施の形態に係る照明付きスピーカ装置の構成を示した図である。
【図２】スピーカから放射される放射音を模式的に示した図である。
【図３】本実施の形態の照明付きスピーカ装置の電気的な構成を示したブロック図である。
【符号の説明】
【００１４】
１…照明付きスピーカ装置、２…木製パネル、３…直管形蛍光管、４ａ、４ｂ…スピーカキャビネット、５ａ、５ｂ…スピーカ、６ａ、６ｂ…ディフューザ、７ａ、７ｂ…音響管、８…インバータ回路、９…受信装置、１０…アンプ、２０…壁面
【図１】
2008244641.tif 000003
【図２】
2008244641.tif 000004
【図３】
2008244641.tif 000005